(57)【要約】  本発明に係る移動通信システムは、ホームセルが、第１移動局に対してアクセスを規制するように構成されており、ホームセルと同一の周波数が利用されているマクロセルを介して通信中の第１移動局が、ホームセル周辺の所定エリアに進入した場合に、所定エリアをカバーしており且つホームセルと異なる周波数が利用されているマクロセルの中から選択された異周波数マクロセルに対して第１移動局をハンドオーバさせるように構成されている。
2009110565.tif 000002
【特許請求の範囲】
【請求項１】
ホームセルを有する移動通信システムであって、
前記ホームセルは、第１移動局に対してアクセスを規制するように構成されており、
前記ホームセルと同一の周波数が利用されているマクロセルを介して通信中の前記第１移動局が、該ホームセル周辺の所定エリアに進入した場合に、該所定エリアをカバーしており且つ該ホームセルと異なる周波数が利用されているマクロセルの中から選択された異周波数マクロセルに対して、該第１移動局をハンドオーバさせるように構成されていることを特徴とする移動通信システム。
【請求項２】
前記ホームセルと、該ホームセルによってカバーされるエリアの少なくとも１部をカバーするマクロセルとを関連付けて管理するように構成されており、
前記所定エリアは、前記ホームセルに関連付けて管理されている前記マクロセルによってカバーされるエリアであることを特徴とする請求項１に記載の移動通信システム。
【請求項３】
前記所定エリアは、前記ホームセルとの距離が所定閾値以下であるエリアであることを特徴とする請求項１に記載の移動通信システム。
【請求項４】
前記異周波数マクロセルは、重複するホームセルの数に応じて選択されるように構成されていることを特徴とする請求項１に記載の移動通信システム。
【請求項５】
ホームセルを有する移動通信システムであって、
前記ホームセルは、第２移動局に対してアクセスを許可するように構成されており、
前記ホームセルと異なる周波数が利用されているマクロセルを介して通信中の前記第２起動局が、該ホームセルによってカバーされているエリアに進入した場合に、該ホームセル或いは該ホームセルと同一の周波数が利用されているマクロセルに対して、該第２移動局をハンドオーバさせるように構成されていることを特徴とする移動通信システム。
【請求項６】
第１移動局に対してアクセスを規制するように構成されているホームセルを有する移動通信システムで用いられるネットワーク装置であって、
前記ホームセルと同一の周波数が利用されているマクロセルを介して通信中の前記第１移動局が、該ホームセル周辺の所定エリアに進入した場合に、該所定エリアをカバーしており且つ該ホームセルと異なる周波数が利用されているマクロセルの中から選択された異周波数マクロセルに対して、該第１移動局をハンドオーバさせるように構成されているセル変更指示部を具備することを特徴とするネットワーク装置。
【請求項７】
前記ホームセルと、該ホームセルによってカバーされているエリアの少なくとも１部をカバーするマクロセルとを関連付けて管理するように構成されている親子関係管理部を具備しており、
前記所定エリアは、前記ホームセルに関連付けて管理されている前記マクロセルによってカバーされるエリアであることを特徴とする請求項６に記載のネットワーク装置。
【請求項８】
前記所定エリアは、前記ホームセルとの距離が所定閾値以下であるエリアであることを特徴とする請求項６に記載のネットワーク装置。
【請求項９】
前記セル変更指示部は、カバーするエリアが重複するホームセルの数に応じて、前記異周波数マクロセルを選択するように構成されていることを特徴とする請求項６に記載のネットワーク装置。
【請求項１０】
第２移動局に対してアクセスを許可するように構成されているホームセルを有する移動通信システムで用いられるネットワーク装置であって、
前記ホームセルと異なる周波数が利用されているマクロセルを介して通信中の前記第２起動局が、該ホームセルによってカバーされているエリアに進入した場合に、該ホームセル或いは該ホームセルと同一の周波数が利用されているマクロセルに対して、該第２移動局をハンドオーバさせるように構成されているセル変更指示部を具備することを特徴とするネットワーク装置。
【請求項１１】
第１移動局に対してアクセスを規制するように構成されているホームセルを管理するホーム無線基地局であって、
前記ホームセルと同一の周波数が利用されているマクロセルを介して通信中の前記第１移動局が、該ホームセル周辺の所定エリアに進入した場合に、該所定エリアをカバーしており且つ該ホームセルと異なる周波数が利用されているマクロセルの中から選択された異周波数マクロセルに対して、該第１移動局をハンドオーバさせるように構成されているセル変更指示部を具備することを特徴とするホーム無線基地局。
【請求項１２】
前記ホームセルと、該ホームセルによってカバーされているエリアの少なくとも１部をカバーするマクロセルとを関連付けて管理するように構成されている親子関係管理部を具備しており、
前記所定エリアは、前記ホームセルに関連付けて管理されている前記マクロセルによってカバーされるエリアであることを特徴とする請求項１１に記載のホーム無線基地局。
【請求項１３】
前記所定エリアは、前記ホームセルとの距離が所定閾値以下であるエリアであることを特徴とする請求項１１に記載のホーム無線基地局。
【請求項１４】
前記セル変更指示部は、カバーするエリアが重複するホームセルの数に応じて、前記異周波数マクロセルを選択するように構成されていることを特徴とする請求項１１に記載のホーム無線基地局。
【発明の詳細な説明】
【技術分野】
【０００１】
本発明は、第１移動局に対してアクセスを規制し、第２移動局に対してアクセスを許可するように構成されているホームセルを有する移動通信システム、及び、ネットワーク装置に関する。
【背景技術】
【０００２】
一般的に、移動通信システムでは、図１８に示すように、移動局ＵＥが、マクロセル＃１１乃至＃３２のいずれかにおいて、コアネットワークを介した通信を行うように構成されている。【０００３】
具体的には、移動局ＵＥは、各マクロセルにおける通信品質等に基づいて、無線リンクを確立すべきマクロセルを選択し、選択されたマクロセルを管轄する無線基地局との間で無線リンクを確立し、かかる無線リンクを用いて、コアネットワークを介した通信を行うように構成されている。【０００４】
移動局ＵＥは、移動中には、無線リンクを確立するセルを適宜切り替えていくことによって、コアネットワークを介した通信を継続させることができる。【０００５】
近年、図１９に示すように、一般の移動局ＵＥがアクセス可能なマクロセルによってカバーされるエリア内に、特定の移動局ＵＥのみがアクセス可能なホームセルを配置するように構成されている移動通信システムが実現されている。【０００６】
なお、マクロセルは、公衆通信用の無線基地局ＮｏｄｅＢによって管理されており、ホームセルは、屋内や家庭等に配置される小型無線基地局（ホーム無線基地局Ｈｏｍｅ-ＮｏｄｅＢ）によって管理されている。【０００７】
ここで、ホームセルにアクセス不可能な移動局ＵＥにとっては、当該ホームセルにおける電波が干渉波となり、ホームセルにアクセス可能な特定の移動局ＵＥにとっては、マクロセルにおける電波が干渉波となる。【０００８】
したがって、ホームセルとマクロセルとの間で使用する周波数を分ける、或いは、ホームセル及びマクロセルの双方を干渉波の影響を受けないように配置するといった考慮が必要となるため、移動通信システムにおけるセル設計の制約事項となってしまうという問題点があった。
【発明の開示】
【０００９】
そこで、本発明は、上述の課題に鑑みてなされたものであり、マクロセルによってカバーされるエリア内にホームセルを配置する場合に、ホームセルとマクロセルとの間の干渉波の影響を低減しつつ、ホームセルに対して誘導することができる移動通信システム及びネットワーク装置を提供することを目的とする。
【００１０】
本発明の第１の特徴は、ホームセルを有する移動通信システムであって、前記ホームセルは、第１移動局に対してアクセスを規制するように構成されており、前記ホームセルと同一の周波数が利用されているマクロセルを介して通信中の前記第１移動局が、該ホームセル周辺の所定エリアに進入した場合に、該所定エリアをカバーしており且つ該ホームセルと異なる周波数が利用されているマクロセルの中から選択された異周波数マクロセルに対して、該第１移動局をハンドオーバさせるように構成されていることを要旨とする。
【００１１】
本発明の第１の特徴において、前記ホームセルと、該ホームセルによってカバーされるエリアの少なくとも１部をカバーするマクロセルとを関連付けて管理するように構成されており、前記所定エリアは、前記ホームセルに関連付けて管理されている前記マクロセルによってカバーされるエリアであってもよい。
【００１２】
本発明の第１の特徴において、前記所定エリアは、前記ホームセルとの距離が所定閾値以下であるエリアであってもよい。
【００１３】
本発明の第１の特徴において、前記異周波数マクロセルは、重複するホームセルの数に応じて選択されるように構成されていてもよい。
【００１４】
本発明の第２の特徴は、ホームセルを有する移動通信システムであって、前記ホームセルは、第２移動局に対してアクセスを許可するように構成されており、前記ホームセルと異なる周波数が利用されているマクロセルを介して通信中の前記第２起動局が、該ホームセルによってカバーされているエリアに進入した場合に、該ホームセル或いは該ホームセルと同一の周波数が利用されているマクロセルに対して、該第２移動局をハンドオーバさせるように構成されていることを要旨とする。
【００１５】
本発明の第３の特徴は、第１移動局に対してアクセスを規制するように構成されているホームセルを有する移動通信システムで用いられるネットワーク装置であって、前記ホームセルと同一の周波数が利用されているマクロセルを介して通信中の前記第１移動局が、該ホームセル周辺の所定エリアに進入した場合に、該所定エリアをカバーしており且つ該ホームセルと異なる周波数が利用されているマクロセルの中から選択された異周波数マクロセルに対して、該第１移動局をハンドオーバさせるように構成されているセル変更指示部を具備することを要旨とする。
【００１６】
本発明の第３の特徴において、前記ホームセルと、該ホームセルによってカバーされているエリアの少なくとも１部をカバーするマクロセルとを関連付けて管理するように構成されている親子関係管理部を具備しており、前記所定エリアは、前記ホームセルに関連付けて管理されている前記マクロセルによってカバーされるエリアであってもよい。
【００１７】
本発明の第３の特徴において、前記所定エリアは、前記ホームセルとの距離が所定閾値以下であるエリアであってもよい。
【００１８】
本発明の第３の特徴において、前記セル変更指示部は、カバーするエリアが重複するホームセルの数に応じて、前記異周波数マクロセルを選択するように構成されていてもよい。
【００１９】
本発明の第４の特徴は、第２移動局に対してアクセスを許可するように構成されているホームセルを有する移動通信システムで用いられるネットワーク装置であって、前記ホームセルと異なる周波数が利用されているマクロセルを介して通信中の前記第２起動局が、該ホームセルによってカバーされているエリアに進入した場合に、該ホームセル或いは該ホームセルと同一の周波数が利用されているマクロセルに対して、該第２移動局をハンドオーバさせるように構成されているセル変更指示部を具備することを要旨とする。
【００２０】
本発明の第５の特徴は、第１移動局に対してアクセスを規制するように構成されているホームセルを管理するホーム無線基地局であって、前記ホームセルと同一の周波数が利用されているマクロセルを介して通信中の前記第１移動局が、該ホームセル周辺の所定エリアに進入した場合に、該所定エリアをカバーしており且つ該ホームセルと異なる周波数が利用されているマクロセルの中から選択された異周波数マクロセルに対して、該第１移動局をハンドオーバさせるように構成されているセル変更指示部を具備することを要旨とする。
【００２１】
本発明の第５の特徴において、前記ホームセルと、該ホームセルによってカバーされているエリアの少なくとも１部をカバーするマクロセルとを関連付けて管理するように構成されている親子関係管理部を具備しており、前記所定エリアは、前記ホームセルに関連付けて管理されている前記マクロセルによってカバーされるエリアであってもよい。
【００２２】
本発明の第５の特徴において、前記所定エリアは、前記ホームセルとの距離が所定閾値以下であるエリアであってもよい。
【００２３】
本発明の第５の特徴において、前記セル変更指示部は、カバーするエリアが重複するホームセルの数に応じて、前記異周波数マクロセルを選択するように構成されていてもよい。
【図面の簡単な説明】
【００２４】
【図１】本発明の第１の実施形態に係る移動通信システムの全体構成図である。
【図２】本発明の第１の実施形態に係る無線制御装置の機能ブロック図である。
【図３】本発明の第１の実施形態に係る無線制御装置のアクセスリスト管理部によって管理されているアクセスリストの一例を示す図である。
【図４】本発明の第１の実施形態に係る無線制御装置の親子関係管理部によって管理されている親子関係の一例を示す図である。
【図５】本発明の第１の実施形態に係る移動通信システムにおけるハンドオーバ動作を示すシーケンス図である。
【図６】本発明の第１の実施形態に係る移動通信システムにおけるハンドオーバ動作を示すシーケンス図である。
【図７】本発明の第１の実施形態に係る移動通信システムにおけるハンドオーバ時の無線制御装置の動作を示すフローチャートである。
【図８】本発明の第１の実施形態に係る移動通信システムにおけるハンドオーバ時の無線制御装置の動作を示すフローチャートである。
【図９】本発明の第２の実施形態に係る移動通信システムの全体構成図である。
【図１０】本発明の第２の実施形態に係る無線制御装置の親子関係管理部によって管理されている親子関係の一例を示す図である。
【図１１】本発明の第２の実施形態に係る移動通信システムにおけるハンドオーバ動作を示すシーケンス図である。
【図１２】本発明の第２の実施形態に係る移動通信システムにおけるハンドオーバ時の無線制御装置の動作を示すフローチャートである。
【図１３】本発明の第２の実施形態に係る移動通信システムにおけるハンドオーバ時の無線制御装置の動作を示すフローチャートである。
【図１４】本発明の変更例１に係る移動通信システムの全体構成図である。
【図１５】本発明の変更例２に係る移動通信システムの全体構成図である。
【図１６】本発明の変更例３に係る移動通信システムの全体構成図である。
【図１７】本発明の変更例４に係る移動通信システムの全体構成図である。
【図１８】従来の移動通信システムの全体構成図である。
【図１９】従来の移動通信システムにおける問題点を説明するための図である。
【発明を実施するための最良の形態】
【００２５】
（本発明の第１の実施形態に係る移動通信システムの構成）
図１乃至図４を参照して、本発明の第１の実施形態に係る移動通信システムの構成について説明する。【００２６】
図１に示すように、本実施形態に係る移動通信システムは、ネットワークに接続されているゲートウェイ装置ＧＷと、交換局ＭＳＣ/ＳＧＳＮと、無線制御装置ＲＮＣと、無線基地局ＮｏｄｅＢ＃Ａ乃至ＮｏｄｅＢ＃Ｄと、ホーム無線基地局Ｈｏｍｅ-ＮｏｄｅＢ＃ａと、移動局ＵＥ＃Ｘ、ＵＥ＃Ｙとを具備している。【００２７】
本実施形態では、無線基地局ＮｏｄｅＢ＃Ａによって管理されているマクロセル＃Ａでは、周波数ｆ１が利用されており、無線基地局ＮｏｄｅＢ＃Ｂによって管理されているマクロセル＃Ｂでは、周波数ｆ２が利用されており、無線基地局ＮｏｄｅＢ＃Ｃによって管理されているマクロセル＃Ｃでは、周波数ｆ３が利用されており、無線基地局ＮｏｄｅＢ＃Ｄによって管理されているマクロセル＃Ｄでは、周波数ｆ４が利用されている。【００２８】
また、ホーム無線基地局Ｈｏｍｅ-ＮｏｄｅＢ＃ａによって管理されているホームセル＃ａでは、マクロセル＃Ａと同一の周波数である周波数ｆ１が利用されている。【００２９】
なお、ホームセル＃ａは、移動局ＵＥ＃Ｘ（第１移動局）に対してアクセスを規制するように構成されており、移動局ＵＥ＃Ｙ（第２移動局）に対してアクセスを許可するように構成されている。【００３０】
本実施形態に係る無線制御装置ＲＮＣは、位置情報取得部１１と、アクセスリスト管理部１２と、親子関係管理部１３と、判定部１４と、セル変更指示部１５とを具備するネットワーク装置として機能する。【００３１】
位置情報取得部１１は、移動局ＵＥの位置情報を取得するように構成されている。【００３２】
例えば、位置情報取得部１１は、ＧＰＳ測位結果や、無線基地局ＮｏｄｅＢと移動局ＵＥとの間の伝搬遅延測定結果等によって、移動局ＵＥの位置情報を取得するように構成されていてもよい。【００３３】
また、位置情報取得部１１は、移動局ＵＥが無線リンクを確立している無線基地局ＮｏｄｅＢの位置情報に基づいて、当該移動局ＵＥの位置情報を算出するように構成されていてもよい。【００３４】
例えば、移動局ＵＥが、複数の無線基地局ＮｏｄｅＢとの間で無線リンクを確立している場合、位置情報取得部１１は、複数の無線基地局ＮｏｄｅＢの位置情報の中点を、当該移動局ＵＥの位置情報としてもよい。【００３５】
アクセスリスト管理部１２は、図３に示すように、各ホームセルにおいて、アクセス可能移動局のリスト（アクセスリスト）を管理するように構成されている。なお、アクセスリスト管理部１２は、各ホームセルにおいて、アクセス規制移動局のリスト（アクセス規制リスト）を管理するように構成されていてもよい。【００３６】
親子関係管理部１３は、図４に示すように、ホームセルと、かかるホームセルによってカバーされているエリアの少なくとも１部をカバーするマクロセルとを関連付けて管理するように構成されている。ここで、親子関係管理部１３は、セルＩＤやスクランブリングコードによって、各セル（マクロセル及びホームセル）を識別するように構成されている。【００３７】
判定部１４は、ホームセル＃ａと同一の周波数ｆ１が利用されているマクロセル＃Ａを介して通信中の移動局ＵＥ＃Ｘが、ホームセル＃ａ周辺の所定エリアに進入したか否かについて判定するように構成されている。【００３８】
例えば、判定部１４は、親子関係管理部１３においてホームセル＃ａに関連付けて管理されているマクロセル＃Ａによってカバーされるエリアを、上述の所定エリアとしてもよい。【００３９】
また、判定部１４は、位置情報取得部１１によって取得された移動局ＵＥ＃Ｘの位置情報に基づいて、ホームセル＃ａと同一の周波数ｆ１が利用されているマクロセル＃Ａを介して通信中の移動局ＵＥ＃Ｘが、ホームセル＃ａ周辺の所定エリアに進入した否かについて判定するように構成されていてもよい。かかる場合、判定部１４は、ホームセル＃ａとの距離が所定閾値以下であるエリアを、上述の所定エリアとしてもよい。【００４０】
なお、判定部１４は、移動局ＵＥが、マクロセル＃Ａにおいて通信を開始する際に（すなわち、マクロセル＃Ａとの間で無線リンクを確立する際に）、上述の判定を行うように構成されていてもよい。【００４１】
また、判定部１４は、移動局ＵＥが、マクロセル＃Ａに対してハンドオーバを行った際に、上述の判定を行うように構成されていてもよい。【００４２】
さらに、判定部１４は、ホームセル＃ａと同一の周波数ｆ１が利用されているマクロセル＃Ａを介して通信中の移動局ＵＥ＃Ｙが、ホームセル＃ａによってカバーされているエリアに進入したか否かについて判定するように構成されている。【００４３】
セル変更指示部１５は、ホームセル＃ａと同一の周波数ｆ１が利用されているマクロセル＃Ａを介して通信中の移動局ＵＥ＃Ｘが、ホームセル＃ａ周辺の所定エリアに進入したと判定された場合に、かかる所定エリアをカバーしており且つホームセル＃ａと異なる周波数ｆ２乃至ｆ４が利用されているマクロセル＃Ｂ乃至＃Ｄの中から選択された異周波数マクロセルに対して、移動局ＵＥ＃Ｘをハンドオーバ（ハードハンドオーバ）させるように構成されている。【００４４】
なお、セル変更指示部１５は、カバーするエリアが重複するホームセルの数に応じて、異周波数マクロセルを選択するように構成されていてもよい。【００４５】
また、セル変更指示部１５は、ホームセル＃ａと同一の周波数ｆ１が利用されているマクロセル＃Ａを介して通信中の移動局ＵＥ＃Ｙが、ホームセル＃ａによってカバーされているエリアに進入したと判定された場合に、ホームセル＃ａに対して移動局ＵＥ＃Ｙをハンドオーバ（ハードハンドオーバ）させるように構成されている。【００４６】
（本発明の第１の実施形態に係る移動通信システムの動作）
図５乃至図８を参照して、本発明の第１の実施形態に係る移動通信システムの動作について説明する。【００４７】
第１に、図５を参照して、ホームセル＃ａと同一の周波数ｆ１が利用されているマクロセル＃Ａを介して通信中の移動局ＵＥ＃Ｘ（第１移動局）が、ホームセル＃ａ周辺の所定エリアに進入する場合の動作について説明する。【００４８】
図５に示すように、ステップＳ１００１において、移動局ＵＥ＃Ｘが、ホームセル＃ａと同一の周波数ｆ１が利用されているマクロセル＃Ａを管理する無線基地局ＮｏｄｅＢ＃Ａとの間で無線リンクを確立している。【００４９】
ステップＳ１００２において、移動局ＵＥ＃Ｘは、所定タイミングで、移動局ＵＥ＃Ｘの位置情報を、無線制御装置ＲＮＣに通知する。【００５０】
無線制御装置ＲＮＣは、ステップＳ１００３において、移動局ＵＥ＃Ｘが、ホームセル＃ａ周辺の所定エリアに進入したと判定した場合に、ステップＳ１００４において、移動局ＵＥ＃Ｘに対して、かかる所定エリアをカバーしており且つホームセル＃ａと異なる周波数ｆ２が利用されているマクロセル＃Ｂに対して、ハンドオーバ（ハードハンドオーバ）するように指示する。【００５１】
そして、ステップＳ１００５において、移動局ＵＥ＃Ｘは、かかる指示に応じて、マクロセル＃Ａを管理する無線基地局ＮｏｄｅＢ＃Ａとの間で確立されている無線リンクを解放し、マクロセル＃Ｂを管理する無線基地局ＮｏｄｅＢ＃Ｂとの間で無線リンクを確立する。【００５２】
第２に、図６を参照して、ホームセル＃ａと同一の周波数ｆ１が利用されているマクロセル＃Ａを介して通信中の移動局ＵＥ＃Ｙ（第２移動局）が、ホームセル＃ａ周辺の所定エリアに進入する場合の動作について説明する。【００５３】
図６に示すように、ステップＳ２００１において、移動局ＵＥ＃Ｙが、ホームセル＃ａと同一の周波数ｆ１が利用されているマクロセル＃Ａを管理する無線基地局ＮｏｄｅＢ＃Ａとの間で無線リンクを確立している。【００５４】
ステップＳ２００２において、移動局ＵＥ＃Ｙは、所定タイミングで、移動局ＵＥ＃Ｙの位置情報を、無線制御装置ＲＮＣに通知する。【００５５】
無線制御装置ＲＮＣは、ステップＳ２００３において、移動局ＵＥ＃Ｙが、ホームセル＃ａによってカバーされているエリアに進入したと判定した場合に、ステップＳ２００４において、移動局ＵＥ＃Ｙに対して、ホームセル＃ａに対して、ハンドオーバ（ハードハンドオーバ）するように指示する。【００５６】
そして、ステップＳ２００５において、移動局ＵＥ＃Ｙは、かかる指示に応じて、マクロセル＃Ａを管理する無線基地局ＮｏｄｅＢ＃Ａとの間で確立されている無線リンクを解放し、ホームセル＃ａを管理するホーム無線基地局ＮｏｄｅＢ＃ａとの間で無線リンクを確立する。【００５７】
第３に、図７を参照して、本実施形態に係る移動通信システムにおける無線制御装置ＲＮＣの第１の動作について説明する。【００５８】
図７に示すように、ステップＳ１０１において、無線制御装置ＲＮＣは、移動局ＵＥが、ホームセルが存在するマクロセル、すなわち、ホームセルに関連付けられて管理されているマクロセル内に移動したか否かについて判定する。【００５９】
移動したと判定された場合、本動作は、ステップＳ１０２に進み、移動していないと判定された場合、本動作は、終了する。【００６０】
ステップＳ１０２において、無線制御装置ＲＮＣは、当該移動局ＵＥが、当該ホームセルを利用可能か否か、すなわち、当該ホームセルによってアクセスを許可されているか否かについて判定する。【００６１】
利用可能であると判定された場合、本動作は、ステップＳ１０４に進み、利用可能でないと判定された場合、本動作は、ステップＳ１０３に進む。【００６２】
ステップＳ１０３において、無線制御装置ＲＮＣは、当該移動局ＵＥを、当該ホームセルと異なる周波数が利用されているセル（異周波数セル）にハンドオーバさせる。【００６３】
一方、ステップＳ１０４において、無線制御装置ＲＮＣは、移動局ＵＥが、当該ホームセルによってカバーされているエリアに存在しているか否かについて判定する。【００６４】
存在していると判定された場合、本動作は、ステップＳ１０５に進み、存在していないと判定された場合、本動作は、終了する。【００６５】
ステップＳ１０５において、無線制御装置ＲＮＣは、当該移動局ＵＥを、当該ホームセルにハンドオーバさせる。【００６６】
第４に、図８を参照して、本実施形態に係る移動通信システムにおける無線制御装置ＲＮＣの第２の動作について説明する。【００６７】
図８に示すように、ステップＳ２０１において、無線制御装置ＲＮＣは、移動局ＵＥが、ホーム無線基地局（ホームセル）との距離が所定閾値以下のエリア内に移動したか否かについて判定する。【００６８】
移動したと判定された場合、本動作は、ステップＳ２０２に進み、移動していないと判定された場合、本動作は、終了する。【００６９】
以下、ステップＳ２０３乃至Ｓ２０５の動作は、図７に示すステップＳ１０３乃至Ｓ１０５の動作と同一である。【００７０】
（本発明の第１の実施形態に係る移動通信システムの作用・効果）
本発明の第１の実施形態に係る移動通信システムによれば、ホームセル＃ａにアクセス不能な移動局ＵＥ＃Ｘが、ホームセル＃ａと同一の周波数ｆ１が利用されているマクロセル＃Ａにおいて通信を行っている状態で、ホームセル＃ａに近づいた場合に、ホームセル＃ａに対して干渉の影響を及ぼさない周波数ｆ２乃至ｆ４が利用されているマクロセル＃Ｂ乃至＃Ｄに対して、当該移動局ＵＥ＃Ｘをハンドオーバさせることによって、ホームセル＃ａにおいて通信を行っている移動局ＵＥ＃Ｙに対する干渉の影響を回避することができる。【００７１】
また、本発明の第１の実施形態に係る移動通信システムによれば、ホームセル＃ａを独占的に使用できる移動局ＵＥ＃Ｙについては、ホームセル＃ａを優先的に使用させることによって、マクロセル＃Ａにおいて、ホームセル＃ａを利用することができない移動局ＵＥ＃Ｘの通信容量を確保することができるので、マクロセルによって予め構築されていた公衆通信用エリア上に、家庭用等の特定移動局専用の小型無線基地局を設置する際に、公衆通信用エリアの通信品質や通信容量を確保したまま、同一の周波数を効率的に利用することができる。【００７２】
（本発明の第２の実施形態に係る移動通信システム）
図９乃至図１３を参照して、本発明の第２の実施形態に係る移動通信システムについて説明する。以下、本実施形態に係る移動通信システムについて、上述の第１の実施形態に係る移動通信システムとの相違点に着目して説明する。【００７３】
本実施形態に係る移動通信システムでは、図９に示すように、無線制御装置ＲＮＣのセル変更指示部１５は、ホームセル＃ａと異なる周波数ｆ２が利用されているマクロセル＃Ｂを介して通信中の移動局ＵＥ＃Ｙ（第２起動局）が、ホームセル＃ａによってカバーされているエリアに進入した場合に、ホームセル＃ａ或いはホームセル＃ａと同一の周波数ｆ１が利用されているマクロセル＃Ａに対して、移動局ＵＥ＃Ｙをハンドオーバさせるように構成されている。【００７４】
例えば、移動局ＵＥ＃Ｙが、無線制御装置ＲＮＣの親子関係管理部１３によってホームエリア＃ａに関連付けられて管理されているマクロセル（図１０の例では、マクロセル＃Ｂ、＃Ｃ、＃Ｄ）によってカバーされているエリアに進入した場合に、無線制御装置ＲＮＣの判定部１４は、ホームセル＃ａと異なる周波数が利用されているマクロセルを介して通信中の移動局ＵＥ＃Ｙに対して、Ｃｏｍｐｒｅｓｓｅｄモードによって、ホームセル＃ａ（或いは、マクロセル＃Ａ）において利用されている周波数ｆ１に対する測定を行い、ホームエリア＃ａ（或いは、マクロセル＃Ａ）から送信される周波数ｆ１のパイロット信号を観測できた場合、ホームセル＃ａ（或いは、マクロセル＃Ａ）によってカバーされているエリアに進入したものとして、ＲＲＣメッセージ等によって通知させるように構成されていてもよい。【００７５】
次に、図１１乃至図１３を参照して、本発明の第２の実施形態に係る移動通信システムの動作について説明する。【００７６】
第１に、図１１を参照して、ホームセル＃ａと異なる周波数ｆ２が利用されているマクロセル＃Ｂを介して通信中の移動局ＵＥ＃Ｙ（第２移動局）が、ホームセル＃ａ周辺の所定エリア（或いは、ホームセル＃ａによってカバーされているエリア）に進入する場合の動作について説明する。【００７７】
図１１に示すように、ステップＳ３００１において、移動局ＵＥ＃Ｙが、ホームセル＃ａと異なる周波数ｆ２が利用されているマクロセル＃Ｂを管理する無線基地局ＮｏｄｅＢ＃Ｂとの間で無線リンクを確立している。【００７８】
ステップＳ３００２において、移動局ＵＥ＃Ｙは、所定タイミングで、移動局ＵＥ＃Ｙの位置情報を、無線制御装置ＲＮＣに通知する。【００７９】
無線制御装置ＲＮＣは、ステップＳ３００３において、移動局ＵＥ＃Ｙが、ホームセル＃ａ周辺の所定エリア（或いは、ホームセル＃ａによってカバーされているエリア）に進入したと判定した場合に、ステップＳ３００４において、移動局ＵＥ＃Ｙに対して、かかる所定エリアをカバーしており且つホームセル＃ａと同一の周波数ｆ１が利用されているマクロセル＃Ａ（或いは、ホームセル＃ａ）に対して、ハンドオーバ（ハードハンドオーバ）するように指示する。【００８０】
そして、ステップＳ３００５において、移動局ＵＥ＃Ｙは、かかる指示に応じて、マクロセル＃Ｂを管理する無線基地局ＮｏｄｅＢ＃Ｂとの間で確立されている無線リンクを解放し、マクロセル＃Ａを管理する無線基地局ＮｏｄｅＢ＃Ａ（或いは、ホームセル＃ａを管理するホーム無線基地局＃ａ）との間で無線リンクを確立する。【００８１】
第２に、図１２を参照して、本実施形態に係る移動通信システムにおける無線制御装置ＲＮＣの第１の動作について説明する。【００８２】
図１２に示すように、ステップＳ３０１において、無線制御装置ＲＮＣは、移動局ＵＥが、ホームセルと重複する異周波数マクロセル、すなわち、当該ホームセルに関連付けられて管理されており且つ当該ホームセルと異なる周波数が利用されているマクロセル内に移動したか否かについて判定する。【００８３】
移動したと判定された場合、本動作は、ステップＳ３０２に進み、移動していないと判定された場合、本動作は、終了する。【００８４】
ステップＳ３０２において、無線制御装置ＲＮＣは、当該移動局ＵＥが、当該ホームセルを利用可能か否か、すなわち、当該ホームセルによってアクセスを許可されているか否かについて判定する。【００８５】
利用可能であると判定された場合、本動作は、ステップＳ３０４に進み、利用可能でないと判定された場合、本動作は、終了する。【００８６】
ステップＳ３０３において、無線制御装置ＲＮＣは、移動局ＵＥが、当該ホームセルによってカバーされているエリアに存在しているか否かについて判定する。【００８７】
存在していると判定された場合、本動作は、ステップＳ３０４に進み、存在していないと判定された場合、本動作は、ステップＳ３０５に進む。【００８８】
ステップＳ３０４において、無線制御装置ＲＮＣは、当該移動局ＵＥを、当該ホームセルにハンドオーバさせる。【００８９】
一方、ステップＳ３０５において、無線制御装置ＲＮＣは、当該移動局ＵＥを、当該ホームセルによってカバーされているエリアをカバーし且つ当該ホームセルと同一の周波数が利用されているマクロセルにハンドオーバさせる。【００９０】
第４に、図１３を参照して、本実施形態に係る移動通信システムにおける無線制御装置ＲＮＣの第２の動作について説明する。【００９１】
図１３に示すように、ステップＳ４０１において、無線制御装置ＲＮＣは、移動局ＵＥが、ホーム無線基地局（ホームセル）との距離が所定閾値以下のエリア内に移動したか否かについて判定する。【００９２】
移動したと判定された場合、本動作は、ステップＳ４０２に進み、移動していないと判定された場合、本動作は、終了する。【００９３】
以下、ステップＳ４０３乃至Ｓ４０５の動作は、図１２に示すステップＳ３０３乃至Ｓ３０５の動作と同一である。【００９４】
本発明の第２の実施形態に係る移動通信システムによれば、ホームセル＃ａを使用可能な移動局ＵＥ＃Ｙについては、ホームセル＃ａ（或いは、ホームセル＃ａと同一の周波数ｆ１が利用されているマクロセル＃Ａ）を優先的に使用させることによって、マクロセル＃Ｂ乃至＃Ｄにおいて、ホームセル＃ａを利用することができない移動局ＵＥ＃Ｘの通信容量を確保することができる。【００９５】
（変更例１）
上述の実施形態では、Ｗ-ＣＤＭＡ方式の移動通信システムを例に挙げて説明されているが、本発明は、かかる移動通信システムに限定されるものではなく、例えば、図１４に示すように、ＬＴＥ（Ｌｏｎｇ  Ｔｅｒｍ  Ｅｖｏｌｕｔｉｏｎ）方式の移動通信システムにも適用可能である。【００９６】
かかる場合、上述の無線基地局ＮｏｄｅＢの機能及び無線制御局ＲＮＣの機能は、無線基地局ｅＮＢ又は交換局ＭＭＥに搭載されることになる。ここで、本変更例では、無線基地局ｅＮＢ又は交換局ＭＭＥが、上述のネットワーク装置の役割を果たすように構成されている。【００９７】
また、交換局ＭＭＥの親子関係管理部１３は、「Ｔｒａｃｋｉｎｇ  Ａｒｅａ  ＩＤ」によって、各セル（マクロセル及びホームセル）を識別するように構成されている。【００９８】
具体的には、図１４に示すように、変更例１に係る移動通信システムでは、無線基地局ＮｏｄｅＢ＃Ａ乃至ＮｏｄｅＢ＃Ｄ及びホーム無線基地局Ｈｏｍｅ-ＮｏｄｅＢ＃ａは、交換局ＭＭＥに収容されている。【００９９】
例えば、無線基地局ｅＮＢ＃Ａのセル変更指示部１５は、ホームセル＃ａと同一の周波数ｆ１が利用されているマクロセル＃Ａを介して通信中の移動局ＵＥ＃Ｘが、ホームセル＃ａ周辺の所定エリアに進入したと判定された場合に、かかる所定エリアをカバーしており且つホームセル＃ａと異なる周波数ｆ２乃至ｆ４が利用されているマクロセル＃Ｂ乃至＃Ｄの中から選択された異周波数マクロセルに対して、移動局ＵＥ＃Ｘをハンドオーバ（ハードハンドオーバ）させるように構成されている。【０１００】
また、無線基地局ｅＮＢ＃Ａのセル変更指示部１５は、ホームセル＃ａと同一の周波数ｆ１が利用されているマクロセル＃Ａを介して通信中の移動局ＵＥ＃Ｙが、ホームセル＃ａによってカバーされているエリアに進入したと判定された場合に、ホームセル＃ａに対して移動局ＵＥ＃Ｙをハンドオーバ（ハードハンドオーバ）させるように構成されている。【０１０１】
（変更例２）
以下、図１５を参照して、本発明の変更例２に係る移動通信システムについて、上述の第1の実施形態に係る移動通信システムとの相違点に着目して説明する。【０１０２】
図１５に示すように、変更例２に係る移動通信システムでは、無線基地局ＮｏｄｅＢ＃Ａ乃至ＮｏｄｅＢ＃Ｄは、無線制御装置ＲＮＣに収容されており、ホーム無線基地局Ｈｏｍｅ-ＮｏｄｅＢ＃ａは、集約装置ＨＮＢ-ＧＷに収容されている。【０１０３】
本変更例２では、交換局ＭＳＣ/ＳＧＳＮ、無線制御装置ＲＮＣ又は集約装置ＨＮＢ-ＧＷが、上述のネットワーク装置の役割を果たすように構成されている。すなわち、図２に示す無線制御装置ＲＮＣの機能は、交換局ＭＳＣ/ＳＧＳＮ、無線制御装置ＲＮＣ又は集約装置ＨＮＢ-ＧＷのいずれかに搭載されている。【０１０４】
（変更例３）
以下、図１６を参照して、本発明の変更例３に係る移動通信システムについて、上述の第1の実施形態に係る移動通信システムとの相違点に着目して説明する。【０１０５】
図１６に示すように、変更例３に係る移動通信システムは、ＬＴＥ方式の移動通信システムであって、かかる移動通信システムでは、無線基地局ＮｏｄｅＢ＃Ａ乃至ＮｏｄｅＢ＃Ｄは、交換局ＭＭＥに収容されており、ホーム無線基地局Ｈｏｍｅ-ＮｏｄｅＢ＃ａは、集約装置ＨＮＢ-ＧＷに収容されている。【０１０６】
本変更例３では、交換局ＭＭＥ又は集約装置ＨＮＢ-ＧＷが、上述のネットワーク装置の役割を果たすように構成されている。すなわち、図２に示す無線制御装置ＲＮＣの機能は、交換局ＭＭＥ又は集約装置ＨＮＢ-ＧＷのいずれかに搭載されている。【０１０７】
（変更例４）
以下、図１７を参照して、本発明の変更例４に係る移動通信システムについて、上述の第1の実施形態に係る移動通信システムとの相違点に着目して説明する。【０１０８】
図１に示すように、変更例４に係る移動通信システムでは、無線基地局ＮｏｄｅＢ＃Ａ乃至ＮｏｄｅＢ＃Ｄは、無線制御装置ＲＮＣに収容されており、ホーム無線基地局Ｈｏｍｅ-ＮｏｄｅＢ＃ａは、ゲートウェイ装置ＧＷに収容されている。【０１０９】
本変更例４では、無線制御装置ＲＮＣが、上述のネットワーク装置の役割を果たすように構成されている。すなわち、図２に示す無線制御装置ＲＮＣの機能は、交換局ＭＭＥ又はホーム無線基地局Ｈｏｍｅ-ＮｏｄｅＢ＃ａのいずれかに搭載されている。【０１１０】
また、本変更例４に係る移動通信システムにおいて、ホーム無線基地局Ｈｏｍｅ-ＮｏｄｅＢ＃ａが、図２に示す無線制御装置ＲＮＣの機能を具備していてもよい。【０１１１】
かかる場合、ホーム無線基地局Ｈｏｍｅ-ＮｏｄｅＢ＃ａは、ホームセル＃ａで用いられている周波数ｆ１、及び、周辺のマクロセル＃Ａ乃至＃Ｄで用いられている周波数ｆ１乃至ｆ４について管理するように構成されている。【０１１２】
なお、上述の移動局ＵＥや無線基地局ＮｏｄｅＢ又はｅＮＢやホーム無線基地局Ｈｏｍｅ-ＮｏｄｅＢや交換機ＭＭＥ又はＭＳＣ/ＳＧＳＮや無線制御局ＲＮＣや集約装置ＨＮＢ-ＧＷやゲートウェイ装置ＧＷの動作は、ハードウェアによって実施されてもよいし、プロセッサによって実行されるソフトウェアモジュールによって実施されてもよいし、両者の組み合わせによって実施されてもよい。【０１１３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。【０１１４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＮｏｄｅＢ又はｅＮＢやホーム無線基地局Ｈｏｍｅ-ＮｏｄｅＢや交換機ＭＭＥ又はＭＳＣ/ＳＧＳＮや無線制御局ＲＮＣや集約装置ＨＮＢ-ＧＷやゲートウェイ装置ＧＷ内に設けられていてもよい。また、かかる記憶媒体及びプロセッサは、ディスクリートコンポーネントとして移動局ＵＥや無線基地局ＮｏｄｅＢ又はｅＮＢやホーム無線基地局Ｈｏｍｅ-ＮｏｄｅＢや交換機ＭＭＥ又はＭＳＣ/ＳＧＳＮや無線制御局ＲＮＣや集約装置ＨＮＢ-ＧＷやゲートウェイ装置ＧＷ内に設けられていてもよい。【０１１５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【産業上の利用の可能性】
【０１１６】
以上説明したように、本発明によれば、マクロセルによってカバーされるエリア内にホームセルを配置する場合に、ホームセルとマクロセルとの間の干渉波の影響を低減しつつ、ホームセルに対して誘導することができる移動通信システム及びネットワーク装置を提供することができる。
【図１】
2009110565.tif 000003
【図２】
2009110565.tif 000004
【図３】
2009110565.tif 000005
【図４】
2009110565.tif 000006
【図５】
2009110565.tif 000007
【図６】
2009110565.tif 000008
【図７】
2009110565.tif 000009
【図８】
2009110565.tif 000010
【図９】
2009110565.tif 000011
【図１０】
2009110565.tif 000012
【図１１】
2009110565.tif 000013
【図１２】
2009110565.tif 000014
【図１３】
2009110565.tif 000015
【図１４】
2009110565.tif 000016
【図１５】
2009110565.tif 000017
【図１６】
2009110565.tif 000018
【図１７】
2009110565.tif 000019
【図１８】
2009110565.tif 000020
【図１９】
2009110565.tif 000021
【国際調査報告】
2009110565.tif 000022
2009110565.tif 000023
2009110565.tif 000024
2009110565.tif 000025